【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
・複数の流体流路を介して複数の創傷被覆材に結合し、陰圧を複数の前記創傷被覆材に提供するように構成された陰圧源であって、複数の前記流体流路が、
−第一の創傷被覆材を前記陰圧源に流体接続するように構成された第一の流体流路であって、第一のバルブを有し、前記第一のバルブが、開くと、流体が当該第一の流体流路を通過することを可能とし、前記第一のバルブが、閉じると、流体が当該第一の流体流路を通過することを阻止する、第一の流体流路、および、
−第二の創傷被覆材を前記陰圧源に流体接続するように構成された第二の流体流路であって、第二のバルブを有し、開くと前記第二のバルブが、流体が当該第二の流体流路を通過することを可能とし、閉じると前記第二のバルブが、流体が当該第二の流体流路を通過することを阻止する、第二の流体流路、を含む、陰圧源と、
・複数の前記流体流路内の組み合わせた圧力を測定するように構成される圧力センサと、
・前記陰圧源を操作するように構成され、かつ、前記第二のバルブを閉じること、前記圧力センサによって測定された圧力を観測すること、および、観測した圧力に基づいて前記第一の流体流路内の閉塞を判定すること、によって、前記第一のバルブが開いたままである間に前記第一の流体流路内の閉塞を検出するようにさらに構成されるコントローラと、
を含む、陰圧療法装置。
【請求項２】
複数の前記流体流路が、第三の創傷被覆材を前記陰圧源に流体接続するように構成された第三の流体流路をさらに含み、前記第三の流体流路が、第三のバルブであって、当該第三のバルブが閉じると前記第三の流体流路内の流体の通過を阻止するように構成された第三のバルブを含む、請求項１に記載の装置。
【請求項３】
前記コントローラが、前記第一のバルブが開いて前記第一の流体流路内の流体の通過を可能にし、前記第二のバルブが閉じて前記第二の流体流路内の流体の通過を阻止し、前記第三のバルブが閉じて前記第三の流体流路内の流体の通過を阻止すると、前記第一の流体流路内の閉塞を検知するように構成される、請求項２に記載の装置。
【請求項４】
前記コントローラが、
前記第一のバルブを閉じて前記第一の流体流路内の流体の通過を阻止し、
前記第二のバルブを閉じて前記第二の流体流路内の流体の通過を阻止し、
前記第三のバルブを開いて前記第三の流体流路内の流体の通過を可能にし、
前記測定された圧力を第一の閾値と比較することに基づき、前記第三の流体流路内の閉塞の存在を判定し、
前記閉塞が前記第三の流体流路内に存在すると判定することに応答して、前記閉塞の表示をユーザに提供するように構成された、請求項２または３に記載の装置。
【請求項５】
前記コントローラが、前記第三の流体流路の閉塞を判定することに応答して、
前記第一のバルブを開いて前記第一の流体流路内の流体の通過を可能にし、
前記第二のバルブを開いて前記第二の流体流路内の流体の通過を可能にし、
前記第三のバルブを閉じて前記第三の流体流路内の流体の通過を阻止し、
前記測定された圧力を第二の閾値と比較することに基づき、前記第一および第二の流体流路の一つまたは複数における閉塞の存在を判定し、
前記閉塞が前記第一および第二の流体流路に存在しないと判定することに応答して、前記第三の創傷被覆材を交換するための表示を提供するように、さらに構成される、請求項４に記載の装置。
【請求項６】
前記コントローラが、
前記閉塞が前記第一または第二の流体流路の少なくとも一つに存在すると判定することに応答して、前記閉塞の表示を前記ユーザに提供するように、さらに構成される、請求項５に記載の装置。
【請求項７】
前記圧力センサが、当該装置の単一の圧力センサである、請求項１から６のいずれか一項に記載の装置。
【請求項８】
前記第一の流体流路内に閉塞があることの判定が、前記測定圧力を通常状態で動作している陰圧システム内の前記圧力センサによって測定された予想圧力と比較することに基づいている、請求項１から７のいずれか一項に記載の装置。
【請求項９】
前記第一の流体流路内にある閉塞が、前記測定圧力を一以上の閾値と比較することに基づいている、請求項８に記載の装置。
【請求項１０】
前記陰圧源を前記第一および第二の流体流路に流体接続する入口マニホールド分岐取付部をさらに含む、請求項１から９のいずれか一項に記載の装置。
【請求項１１】
前記入口マニホールド分岐取付部が、陰圧取付部分と２つの被覆材取付部分とを含む、請求項１０に記載の装置。
【請求項１２】
前記入口マニホールド分岐取付部が、Ｙ形状である、請求項１１に記載の装置。
【手続補正２】
【補正対象書類名】明細書
【補正対象項目名】０１８９
【補正方法】変更
【補正の内容】
【０１８９】
本開示の範囲は、特定の実施形態の説明によって制限されることは意図されておらず、請求項によって定義されてもよい。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
複数の流体流路を介して複数の創傷被覆材に結合し、陰圧を前記複数の創傷被覆材に提供するように構成された複数の入口を含む、陰圧源であって、前記複数の流体流路が、
第一の創傷被覆材を前記複数の入口の第一の入口に流体接続するよう構成される第一の流体流路と、
第二の創傷被覆材を前記複数の入口の第二の入口に流体接続するよう構成される第二の流体流路と、を含む、陰圧源と、
前記複数の流体流路内の圧力を測定するように構成された複数の圧力センサであって、複数の圧力センサが、
前記第一の流体流路内の圧力を測定するように構成される第一の圧力センサと、
前記第二の流体流路内の圧力を測定するように構成される第二の圧力センサと、を含む、複数の圧力センサと、
前記陰圧源を操作し、前記第一または第二の圧力センサの少なくとも一つによって測定される圧力に基づいて、前記第一または第二の流体流路の少なくとも一つに関連する少なくとも一つの動作状態の表示を提供するように構成される、コントローラと、を含む、陰圧創傷療法装置。
［付記項２］
前記少なくとも一つの動作状態が、閉塞、漏れ、過圧、または被覆材小康状態を含む、付記項１に記載の装置。
［付記項３］
前記陰圧源および前記第一および第二の入口を支持するように構成されたハウジングをさらに含む、付記項１または２に記載の装置。
［付記項４］
前記第一の流体流路が、ユーザに前記第一の創傷被覆材と前記陰圧源との間の流体接続を示すように構成された第一の識別子を含み、前記第二の流体流路が、ユーザに前記第二の創傷被覆材と前記陰圧源との間の流体接続を示すように構成された第二の識別子を含む、付記項１〜３のいずれか一項に記載の装置。
［付記項５］
前記第一および第二の識別子が、印刷された絵文字、印刷されたアイコン、エンボス加工が施された絵文字、エンボス加工が施されたアイコン、点字文字、または色コードの少なくとも一つを含む、付記項４に記載の装置。
［付記項６］
前記第一および第二の識別子が、前記入口マニホールド分岐取付部に近接して位置付けられる、付記項４または５のいずれか一項に記載の装置。
［付記項７］
前記コントローラが、前記第一の流体流路内の動作状態と関連する第一の表示、および前記第二の流体流路内の動作状態に関連する第二の表示を提供するようにさらに構成されている、付記項１〜６のいずれか一項に記載の装置。
［付記項８］
前記第一および第二の表示が、視覚的または音声表示の一つまたは複数である、付記項７に記載の装置。
［付記項９］
複数の流体流路を介して複数の創傷被覆材に結合し、陰圧を前記複数の創傷被覆材に提供するように構成された複数の入口を含む、陰圧源であって、前記複数の流体流路が、
第一の創傷被覆材を前記複数の入口のうち第一の入口に流体接続するように構成された第一の流体流路であって、第一の流体流路が流れ制限器または流れ拡大器を含む、第一の流体流路と、
第二の創傷被覆材を前記複数の入口のうち第二の入口に流体接続するように構成された第二の流体流路と、を含む、陰圧源と、前記複数の流体流路の少なくとも一つにおける圧力を測定するように構成された圧力センサと、
前記陰圧源を操作し、前記圧力センサによって測定される圧力に基づいて、前記第一または第二の流体流路の少なくとも一つに関連する少なくとも一つの動作状態の表示を提供するように構成される、コントローラと、を含む、陰圧創傷療法装置。
［付記項１０］
前記少なくとも一つの動作状態が、閉塞、漏れ、過圧、または被覆材フル状態の一つまたは複数を含む、付記項９に記載の装置。
［付記項１１］
前記コントローラが、経時的な圧力変化に基づいて、前記少なくとも一つの動作状態の表示を提供するように構成される、付記項９〜１０のいずれか一項に記載の装置。
［付記項１２］
前記第一の流体流路内の経時的な圧力変化が、前記第二の流体流路内の経時的な圧力変化とは異なり、前記コントローラが、前記第一および第二の流体流路内の経時的な圧力変化の差に基づいて、前記第一または第二の流体流路内の閉塞を検知するようにさらに構成されている、付記項１１に記載の装置。
［付記項１３］
前記陰圧源および前記第一および第二の入口を支持するように構成されたハウジングをさらに含む、付記項９〜１２のいずれか一項の装置。
［付記項１４］
前記第一の流体流路が、ユーザに前記第一の創傷被覆材と前記陰圧源との間の流体接続を示すように構成された第一の識別子を含み、前記第二の流体流路が、ユーザに前記第二の創傷被覆材と前記陰圧源との間の流体接続を示すように構成された第二の識別子を含む、付記項９〜１３のいずれか一項に記載の装置。
［付記項１５］
前記第一および第二の識別子が、印刷された絵文字、印刷されたアイコン、エンボス加工が施された絵文字、エンボス加工が施されたアイコン、点字文字、または色コードの少なくとも一つを含む、付記項１４に記載の装置。
［付記項１６］
前記コントローラが、前記第一の流体流路内の動作状態と関連する第一の表示、および前記第二の流体流路内の動作状態に関連する第二の表示を提供するようにさらに構成されている、付記項９〜１５のいずれか一項に記載の装置。
［付記項１７］
前記第一および第二の表示が、視覚的または音声表示の一つまたは複数である、付記項１６に記載の装置。
［付記項１８］
複数の流体流路を介して複数の創傷被覆材に結合し、陰圧を前記複数の創傷被覆材に提供するように構成された陰圧源であって、前記複数の流体流路が、
第一の創傷被覆材を前記陰圧源に流体接続するように構成された第一の流体流路であって、第一の流体流路が第一の流体流路内に流体の通過を阻止するように構成された第一のバルブを有する、第一の流体流路と、
第二の創傷被覆材を前記陰圧源に流体接続するように構成された第二の流体流路であって、第二の流体流路が第二の流体流路内に流体の通過を阻止するように構成された第二のバルブを有する、第二の流体流路と、を含む、陰圧源と、
前記複数の流体流路内の圧力を測定するように構成される圧力センサと、
前記陰圧源を操作し、前記測定された圧力に基づいて前記第一または第二の流体経路の少なくとも一つに関連付けられた動作状態を検知するように構成される、コントローラと、を含む、陰圧療法装置。
［付記項１９］
前記コントローラが、前記第一のバルブが開いて、前記第一の流体流路内の流体の通過を可能にし、前記第二のバルブが閉じて、前記第二の流体流路内の流体の通過を阻止するとき、前記第一の流体流路内の動作状態を検知するように構成される、付記項１８に記載の装置。
［付記項２０］
前記第一の流体流路内の前記動作状態が、前記第一の流体流路内の閉塞を含む、付記項１９に記載の装置。
［付記項２１］
前記複数の流体流路が、第三の創傷被覆材を前記陰圧源に流体接続するように構成された第三の流体流路をさらに含み、前記第三の流体流路が前記第三の流体流路内の流体の通過を阻止するように構成された第三のバルブを含む、付記項１８〜２０のいずれか一項に記載の装置。
［付記項２２］
前記コントローラが、前記第一のバルブが開いて、前記第一の流体流路内の流体の通過を可能にし、前記第二のバルブが閉じて、前記第二の流体流路内の流体の通過を阻止し、前記第三のバルブが閉じて前記第三の流体流路内の流体の通過を阻止するとき、前記第一の流体流路内の動作状態を検知するように構成される、付記項２１に記載の装置。
［付記項２３］
前記コントローラが、
前記第一のバルブを閉じて、前記第一の流体流路内の流体の通過を阻止し、
前記第二のバルブを閉じて、前記第二の流体流路内の流体の通過を阻止し、
前記第三のバルブを開いて、前記第三の流体流路内の流体の通過を可能にし、
前記測定された圧力を第一の閾値と比較することに基づき、前記第三の流体流路内の閉塞の存在を判定し、
前記閉塞が前記第三の流体流路内に存在すると判定することに応答して、前記閉塞の表示をユーザに提供するように構成された、付記項２１または２２に記載の装置。
［付記項２４］
前記コントローラが、前記第三の流体流路の閉塞を判定することに応答して、
前記第一のバルブを開いて、前記第一の流体流路内の流体の通過を可能にし、
前記第二のバルブを開いて、前記第二の流体流路内の流体の通過を可能にし、
前記第三のバルブを閉じて、前記第三の流体流路内の流体の通過を阻止し、
前記測定された圧力を第二の閾値と比較することに基づき、前記第一および第二の流体流路の一つまたは複数における閉塞の存在を判定し、
前記閉塞が前記第一および第二の流体流路に存在しないと判定することに応答して、前記第三の創傷被覆材を交換するための表示を提供するように、さらに構成される、付記項２３に記載の装置。
［付記項２５］
前記コントローラが、
前記閉塞が前記第一または第二の流体流路の少なくとも一つに存在すると判定することに応答して、前記閉塞の表示を前記ユーザに提供するように、さらに構成される、付記項２４に記載の装置。
［付記項２６］
付記項１８〜２５のいずれか一項に記載の前記装置を操作する方法。
［付記項２７］
陰圧創傷療法装置を操作する方法であって、
第一の流体流路に関連付けられた第一のバルブを閉じることであって、前記第一の流体流路が、陰圧源と第一の創傷被覆材との間の流体接続を提供するように構成され、前記第一のバルブを閉じることが前記第一の流体流路の流体の流れを阻止するように、第一のバルブを閉じることと、
第二の流体流路に関連付けられた第二のバルブを開くことであって、前記第二の流体流路が、陰圧源と第二の創傷被覆材との間の流体接続を提供するように構成され、前記第二のバルブを開くことが前記第二の流体流路の流体の流れを可能にするように、第二のバルブを開くことと、
前記第二の流体流路内の測定された圧力に少なくとも部分的に基づいて、前記第二の流体流路と関連付けられる動作状態を判定することと、
前記動作状態の表示を提供することと、を含む、方法。
［付記項２８］
前記第二の流体流路に関連する前記動作状態が、前記第二の流体流路内の閉塞を含む、付記項２７に記載の方法。
［付記項２９］
前記第二の流体流路の閉塞を判定することに応答して、
前記第二のバルブを閉じて前記第一のバルブを開くことと、
前記第二の被覆材を交換するための表示を提供することと、をさらに含む、付記項２８に記載の方法。
［付記項３０］
前記第一の流体流路に関連する動作状態を判定することをさらに含む、付記項２８に記載の方法。
［付記項３１］
前記陰圧源と第三の創傷被覆材との間の流体接続を提供するように構成された第三の流体流路をさらに含み、前記第三の流体流路が、前記陰圧源および前記第三の創傷被覆材の間の流体接続を提供するように構成された第三のバルブを含み、前記第三のバルブを閉じることが、前記第三の流体流路内の流体の流れを阻止する、付記項２７〜３０のいずれか一項に記載の方法。
［付記項３２］
陰圧創傷療法システムを操作する方法であって、
第一の流体流路に関連付けられた第一のバルブを開くことであって、前記第一の流体流路が、陰圧源と第一の創傷被覆材との間の流体接続を提供するように構成され、前記第一のバルブを閉じることが前記第一の流体流路の流体の流れを阻止するように、第一のバルブを開くことと、
第二の流体流路に関連付けられた第二のバルブを閉じることであって、前記第二の流体流路が、陰圧源と第二の創傷被覆材との間の流体接続を提供するように構成され、前記第二のバルブを開くことが前記第二の流体流路の流体の流れを可能にするように、第二のバルブを閉じることと、
第三の流体流路に関連付けられた第三のバルブを閉じることであって、前記第三の流体流路が、陰圧源から第三の創傷被覆材までの流体接続を提供するように構成され、前記第三のバルブを閉じることが前記第三の流体流路の流体の流れを阻止するように、第三のバルブを閉じることと、
前記第一の流体流路内の測定された圧力に少なくとも部分的に基づいて、前記第一の流体流路内の閉塞の存在を判定することと、
前記第一の流体流路における前記閉塞を判定したとき、
前記第一のバルブを閉じることであって、前記第一のバルブを閉じることが前記第一の流体流路内の流体の流れを阻止するように、第一のバルブを閉じることと、
前記第二および第三のバルブを開くことであって、前記第二および第三のバルブを開くことが前記第二および第三の流体流路内の流体の流れを可能にするよう、第二および第三のバルブを開くことと、
前記第二または第三の流体流路の少なくとも一つにおける閉塞の存在を判定することと、
前記第二および第三の流体流路に閉塞がないことを判定することに応答して、ユーザが前記第一の創傷被覆材を置き換えるよう表示を提供することと、
前記第二または第三の流体流路の少なくとも一つに閉塞があると判定することに応答して、前記ユーザに表示を提供することと、を含む、方法。
［付記項３３］
創傷に面する側および前記創傷に面する側に対向する非創傷面側を含む、実質的に伸縮可能な創傷接触層を含む創傷被覆材であって、前記創傷接触層の前記創傷に面する側が創傷と接触して位置付けられるように構成されるように、創傷被覆材を含み、
前記創傷接触層の前記創傷に面する側は、複数の電子構成要素および前記複数の前記電子構成要素の少なくとも一部を接続する複数の電子接続を支持し、
前記創傷接触層の前記創傷に面する側は、前記複数の電子構成要素から少なくとも一つの電子構成要素を支持する実質的に非伸縮性の材料の第一の領域を含み、前記少なくとも一つの電子構成要素が、接着材料で、実質的に非伸縮性の材料の前記第一の領域に取り付けられている、創傷療法装置。
［付記項３４］
前記創傷接触層の前記創傷に面する側が、前記複数の電子接続からの少なくとも一つの電子接続を支持する実質的に非伸縮性の材料の第二の領域を含む、付記項３３に記載の創傷療法装置。
［付記項３５］
前記創傷接触層が、前記複数の電子構成要素および前記複数の電子接続を支持する基材と、少なくとも前記複数の電子構成要素および前記複数の電子接続を覆う相似被覆とを含み、前記相似被覆が、流体が前記複数の電子構成要素および前記複数の電子接続と接触するのを防ぐように構成される、付記項３３または３４のいずれか一項に記載の創傷療法装置。
［付記項３６］
前記基材が熱可塑性ポリウレタンで形成され、前記相似被覆がウレタンから形成される、付記項３５に記載の創傷療法装置。
［付記項３７］
前記創傷接触層が、陰圧が前記創傷に加えられた時に流体が前記創傷接触層を通過できるように構成された複数の穿孔を含む、付記項３３〜３６のいずれか一項に記載の創傷療法装置。
［付記項３８］
前記複数の穿孔が、前記創傷から除去された流体が前記創傷に向かって流れ戻ることを防止するために、実質的に一方向の流体の流れが前記創傷接触層を通過するのを可能にするようにさらに構成される、付記項３７に記載の創傷療法装置。
［付記項３９］
前記創傷接触層の前記創傷に面する側が、前記創傷内の前記少なくとも一つの電子構成要素を位置付けるように構成された追加的な接着材料の領域を含む、付記項３３〜３８のいずれか一項に記載の創傷療法装置。
［付記項４０］
前記創傷接触層の前記創傷に面する側が、前記少なくとも一つの電子構成要素を囲む実質的に非伸縮性の材料の第三の領域を含む、付記項３３〜３９のいずれか一項に記載の創傷療法装置。
［付記項４１］
前記少なくとも一つの電子構成要素が、センサ、発光体、プロセッサ、または通信コントローラの一つまたは複数を含む、付記項３３〜４０のいずれか一項に記載の創傷療法装置。
［付記項４２］
複数の電子接続が複数の電気トレースを含む、付記項３３〜４１のいずれか一項に記載の創傷療法装置。
［付記項４３］
前記創傷被覆材と流体接続するように構成される、陰圧源をさらに含む、付記項３３〜４２のいずれか一項に記載の創傷療法装置。
［付記項４４］
前記創傷被覆材が、前記創傷接触層の前記非創傷面側の上に位置付けられた吸収層と、前記吸収層の上に位置付けられた裏当て層とを含む、付記項３３〜４３のいずれか一項に記載の創傷療法装置。
［付記項４５］
前記創傷接触層が前記裏当て層に封止される、付記項４４に記載の創傷療法装置。
［付記項４６］
前記裏当て層上のポートをさらに含み、前記ポートは、前記創傷被覆材を陰圧源に流体接続するように構成される、付記項４４に記載の創傷療法装置。
［付記項４７］
前記接着材料が熱硬化性である、付記項３３〜４６のいずれか一項に記載の創傷療法装置。
［付記項４８］
前記複数の創傷被覆材の少なくとも一つをチェックするようにユーザに警告するように構成されたインジケータと、
前記インジケータを定期的に起動するように構成されたプロセッサと、
前記ユーザが前記複数の創傷被覆材の少なくとも一つをチェックするために、前記ユーザが前記警告をリセットすることを許可にするように構成されたボタンと、を含む、付記項１〜４７のいずれか一項に記載の装置。
［付記項４９］
前記装置の動作に関連付けられたフィードバックを提供するように構成された複数のインジケータをさらに含む、付記項３３〜４８のいずれか一項に記載の装置。
［付記項５０］
少なくとも一つの創傷被覆材が、前記創傷被覆材の下に陰圧の存在または不在の少なくとも一つを示すように構成された複数のインジケータをさらに含むよう構成された一つまたは複数のインジケータを含む、付記項１〜４９のいずれか一項に記載の装置。
［付記項５１］
創傷に面する側および前記創傷に面する側に対向する非創傷面側を含む、実質的に伸縮可能な創傷接触層を提供することあって、前記創傷接触層の前記創傷に面する側が創傷と接触して位置付けられるように構成されるように、提供することと、
実質的に非伸縮性の材料の第一の領域を、前記創傷接触層の前記創傷に面する側上に位置付けることと、
複数の電子構成要素および複数の電子接続を前記創傷接触層の前記創傷に面する側に位置付けることであって、前記複数の電子構成要素からの少なくとも一つの電子構成要素が、実質的に非伸縮性の材料の前記第一の領域によって支持され、少なくとも一つの電子構成要素が接着材料で実質的に非伸縮性の材料の前記第一の領域に取り付けられるように、位置付けることと、を含む、創傷被覆材を製造する方法。
［付記項５２］
前記創傷接触層が、基材を含み、
前記複数の電子構成要素および前記複数の電子接続の周りで前記基材を穿孔することと、
少なくとも前記複数の電子構成要素および前記複数の電子接続にわたって相似被覆を塗布することであって、前記相似被覆が、流体が前記複数の電子構成要素と前記複数の電子接続と接触することを防ぐように構成されるよう、塗布することと、を含む、付記項５１に記載の方法。
［付記項５３］
前記複数の電子構成要素および前記複数の電子接続の周りで前記基材を穿孔する前に、前記複数の電子構成要素および前記複数の電子接続の前記基材上の複数の位置を識別することをさらに含む、付記項５２に記載の方法。
［付記項５４］
前記複数の位置を識別することは、前記基材上に位置付けられたＲＦＩＤチップまたはアンテナの位置または前記基材の外部の電子構成要素に接続されるように構成された電子接続の位置の一つまたは複数を識別することを含む、付記項５３に記載の方法。
［付記項５５］
追加的接着材料の領域を、前記創傷接触層の前記創傷に面する側に適用することをさらに含み、前記追加的接着材料が前記創傷内に前記少なくとも一つの電子構成要素を位置付けるように構成される、付記項５１〜５４のいずれか一項に記載の方法。
［付記項５６］
追加的接着材料の前記領域を適用する前に、前記少なくとも一つの電子構成要素の位置をさらに識別する、付記項５５に記載の方法。
［付記項５７］
前記創傷接触層が、基材を含み、
少なくとも前記複数の電子構成要素および前記複数の電子接続にわたって相似被覆を塗布することであって、前記相似被覆が、流体が前記複数の電子構成要素と前記複数の電子接続と接触することを防ぐように構成されるように、似被覆を塗布することをさらに含む、付記項５１〜５６のいずれか一項に記載の方法。
［付記項５８］
接着材料の領域を、前記創傷接触層の前記創傷に面する側に適用することであって、前記追加的接着材料が前記創傷内に前記少なくとも一つの電子構成要素を位置付けるように構成されるように、接着材料の領域を適用することと、
前記複数の電子構成要素および前記複数の電子接続の周りで前記基材を穿孔することと、をさらに含む、付記項５７に記載の方法。
［付記項５９］
前記複数の電子構成要素および前記複数の電子接続の周りで前記基材を穿孔する前に、前記基材上の前記複数の電子構成要素および前記複数の電子接続の複数の位置を識別することをさらに含む、付記項５８に記載の方法。
［付記項６０］
接着材料の前記領域を適用する前に、前記少なくとも一つの電子構成要素の位置をさらに識別する、付記項５９に記載の方法。
［付記項６１］
前記複数の位置を識別することは、前記基材上に位置付けられたＲＦＩＤチップまたはアンテナの位置または前記基材の外部の電子構成要素に接続された電子接続の位置の一つまたは複数を識別することを含む、付記項５９〜６０のいずれか一項に記載の方法。
［付記項６２］
実質的に非伸縮性の材料の第二の領域を、前記創傷接触層の前記創傷に面する側上に位置付けることと、
前記複数の電子接続からの少なくとも一つの電子接続を前記第二の領域上に支持することと、をさらに含む、付記項５１〜６１のいずれか一項に記載の方法。
［付記項６３］
前記創傷接触層の前記創傷に面する側上に位置する実質的に非伸縮性の材料の第三の領域によって、前記少なくとも一つの電子構成要素を囲むことをさらに含む、付記項５１〜６２のいずれか一項に記載の方法。
［付記項６４］
前記創傷接触層を少なくとも一つの切断線に沿って切断して、前記複数の電子構成要素および前記複数の電子接続を含む前記創傷接触層の領域を分離することと、
前記創傷接触層の前記領域を、吸収層または裏当て層の一つまたは複数に取り付け、創傷被覆材を形成することと、をさらに含む、付記項５１〜６３のいずれか一項に記載の方法。
［付記項６５］
前記基材が熱可塑性ポリウレタンで形成され、前記相似被覆がウレタンから形成される、付記項５１〜６４のいずれか一項に記載の方法。
［請求項６６］
前記接着材料が熱硬化性である、付記項５１〜６５のいずれか一項に記載の方法。